(57)【特許請求の範囲】
【請求項１】
容器の下面を支えるベース部と、容器の上下方向中間部を支えるリング部と、該リング部の周辺に設けられた軸部と、該軸部方向からリング部の内側へ突出する保持部とを有し、該保持部には、前記軸部に回動自在に設けられて、先端で容器をリング部の内側に押しつけて保持する容器保持板を有するドリンクホルダの容器保持構造において、
前記容器保持板の先端に、容器保持板下面の一般面よりも下方に延長した延長部を有し、延長部の容器押圧面に前記容器側へ突出する凸部を設けて、前記ベース部の容器支持面部に対して、前記リング部の先端を下方に向けて傾斜させることにより、前記凸部は、前記容器の取り出し方向への力が、該容器に作用した際に、該容器と、前記容器保持板との接点における容器側面からの垂線方向に延びる延長線が、前記軸部と、該接点とを結ぶ線の下側に位置するように構成することを特徴とするドリンクホルダの容器保持構造。
【請求項２】
前記ベース部を略円弧形状を呈するように構成することを特徴とする請求項１記載のドリンクホルダの容器保持構造。
【発明の詳細な説明】
【０００１】
【発明の属する技術分野】
この発明は、車両の車室内側のダッシュボード近傍に設けられて、飲料の入った容器を保持するドリンクホルダの容器保持構造に関するものである。
【０００２】
【従来の技術】
従来の車両用のドリンクホルダとしては、例えば、図１４に示す様なものが知られている。
【０００３】
このような図１４に示すドリンクホルダ１は、主に容器２の下面２ａを支えるベース部３と、容器２の上下方向中間部に形成された括れ部２ｂを支えるリング部４とから構成されている。このリング部４の周辺に設けられた軸部５方向からは、リング部４の内側へ突出する保持部６が設けられている。この保持部６には、図示省略のスプリング力によって先端７ａで、前記容器２をリング部４の内側４ａに押しつけて保持する容器保持板７が設けられている。
【０００４】
このように構成された従来のドリンクホルダ１では、リング部４内に上方から容器２が挿通されると、前記容器２の下面２ａは、下方から支持されると共に、リング部４の内側４ａに、前記容器保持板７の先端７ａが、付勢力で押しつけられて保持される。
【０００５】
なお、他のこの種のものとしては、実開平６−５９１３２号公報に記載されているようなものが知られている。
【０００６】
【発明が解決しようとする課題】
しかしながら、このような従来のドリンクホルダの容器保持構造では、容器２を上方に持ち上げて引き抜こうとすると、図中二点鎖線に示すように、容器２の上下方向略中間部に形成された括れ部２ｂの側面２ｃに、鋭角に形成された先端部７ａが、引っかかる。
【０００７】
接点では、図１４に示すように、側面２ｃに鉛直方向の力ｆ１と、この力ｆ１に直交して作用する摩擦力ｆ２との合力ｆ３が作用する。軸部５を中心として、上，下何れの方向への回転力が働いているかを調べるため、この接点に作用する合力ｆ３を、接点から前記軸部５方向への力ｆ４と、前記軸部５方向への力ｆ４に垂直な力ｆ５とに分解する。
【０００８】
この際、前記軸部５方向への力ｆ４は軸部の反力で打ち消され無視できるので、前記軸部５方向への力に垂直な力ｆ５に注目すると、上向きの力成分を有しているので、前記容器保持板１４を前記軸部５を中心として上方向（図中反時計回り）に作用する。
【０００９】
このため、容器２によって容器保持板７が押し上げられるように回動する力ｆ５が作用して、容器２が前記リング部４から抜けなかったり、無理に抜こうとすると保持部６が破損する虞があった。
【００１０】
そこで、本発明の目的は、上記の問題点を解消し、上下方向中間部に括れの有るボトルであっても、挿抜が容易に行えて、確実に保持できるドリンクホルダの容器保持構造を提供することにある。
【００１１】
【課題を解決するための手段】
上記課題を解決するために、請求項１に記載された発明では、容器の下面を支えるベース部と、容器の上下方向中間部を支えるリング部と、該リング部の周辺に設けられた軸部と、該軸部方向からリング部の内側へ突出する保持部とを有し、該保持部には、前記軸部に回動自在に設けられて、先端で容器をリング部の内側に押しつけて保持する容器保持板を有するドリンクホルダの容器保持構造において、前記容器保持板の先端に、容器保持板下面の一般面よりも下方に延長した延長部を有し、延長部の容器押圧面に前記容器側へ突出する凸部を設けて、前記ベース部の容器支持面部に対して、前記リング部の先端を下方に向けて傾斜させることにより、前記凸部は、前記容器の取り出し方向への力が、該容器に作用した際に、該容器と、前記容器保持板との接点における容器側面からの垂線方向に延びる延長線が、前記軸部と、該接点とを結ぶ線の下側に位置するように構成するドリンクホルダの容器保持構造を特徴としている。
【００１２】
このように構成された請求項１記載のものでは、保持部に設けられた容器保持板の先端には、容器保持板下面の一般面よりも下方に延長した延長部が設けられて、この延長部の容器押圧面に設けられた前記容器側へ突出する凸部が、前記容器に当接することにより、該用域をリング部内側に押しつけられて保持される。このため、該容器は前記ベース部とリング部に形成された軸部との間に確実に保持される。
【００１３】
また、容器取り出し時には、該容器側に凸となるように形成された該凸部によって、前記延長部の容器押圧面の凸部との接点に力が作用する。この接点に作用する力が、該接点から前記軸部方向への力と、前記軸部方向への力に垂直な力とに分解される。
【００１４】
この際、前記軸部方向への力は無視できるので、前記軸部方向への力に垂直な力に注目すると、該凸部が、容器側に凸となるように形成された分、下向きの力成分を有しているので、前記容器保持板を下方向に回動させる。このため、更に、前記リング部内側と、前記延長部との間の距離は離間して、前記容器を容易に取り出すことが出来る。
また、前記リング部の先端が、前記ベース部の容器支持面に対して、下方に向けて傾斜するように構成されているので、前記容器の括れ部等によって、前記容器保持板の押し下げられる角度が浅くても、前記容器の取り出し方向への力が、該容器に作用した際に、該容器と、前記容器保持板との接点における容器側面からの垂線方向に延びる延長線が、前記回動軸と、該接点とを結ぶ線の下側に位置する。
このため、該接点では、下向きの力成分によって前記容器保持板を下方向に回動させる。従って、更に、前記リング部内側と、前記延長部との間の距離は離間して、前記上下方向略中間部に括れを有する容器であっても、容易に取り出すことが出来る。
【００１５】
また、請求項２に記載されたものでは、前記ベース部を略円弧形状を呈するように構成する請求項１記載のドリンクホルダの容器保持構造を特徴としている。
【００１６】
このように構成された請求項２記載のものでは、前記ベース部が略円弧形状を呈するように構成されているので、前記リング部は、該ベース部の収納に伴って、収納されると共に、収納された状態では、前記ベース部と近接されて重ね合わされる一方、突出した状態では、前記ベース部と所定距離離間した位置で、前記容器の上下方向略中間位置の側面を支える。
このため、収納された状態での周縁の省スペース化が図れると共に、突出した状態では、前記容器を安定させて支持することが出来る。
【００１８】
【発明の実施の形態１】
以下、本発明の具体的な実施の形態１について、図示例と共に説明する。
【００１９】
図１乃至図１１は、この発明の実施の形態１を示すものである。なお、前記従来例と同一乃至均等な部分については同一符号を付して説明する。
【００２０】
まず、構成を説明すると、この実施の形態１のドリンクホルダの容器保持構造では、ドリンクホルダ１０は、主に車両の車室内側に開口部１１ａを有するケース１１を有している。
【００２１】
このケース１１の開口部１１ａからは、ベース部１２が出し入れ自在に収納されている。このベース部１２は、該ケース１１から突出した状態で、前記容器２の下面２ａを支持する略平板状の容器支持面部１２ａ，１２ａを有すると共に、該容器支持面部１２ａの裏面側には、前記ケース１１内に突出させた状態で、前記開口部１１ａを閉塞する蓋部１２ｂが設けられている。
【００２２】
また、このドリンクホルダ１０には、左，右一対のリング部１３，１３及び対応する容器保持板１４，１４で主に構成される保持部１６，１６が設けられている。このうち、リング部１３は、ベース部１２の前記ケース１１内への収納に伴ってケース内１１に収納されると共に、ケース１１内に収納された状態では、前記ベース部１２と近接されて重ね合わされる一方、このケース１１から突出した状態では、前記ベース部１２と所定距離ｈ離間した位置で、前記容器の上下方向略中間位置の側面を支えるように構成されている。
【００２３】
例えば、図２中二点鎖線に示すような上下方向略中間位置に括れ部２ｂを有する容器２では、上下方向中間部に形成されたこの括れ部２ｂを支えるように構成されている。
【００２４】
このリング部４の周辺には、前記容器保持板１４が軸部１５を回動中心として、回動自在に設けられ、上方に向けて、略水平位置に至るまで図示省略のスプリングによって付勢されている。
【００２５】
この容器保持板１４は、リング部４の内側へ突出すると共に、前記スプリング力によって、先端１７が、前記容器２をリング部１３の内側１３ａに押しつけて、容器２を保持するように構成されている。
【００２６】
この容器保持板１４の先端１７は、一般的な容器２の側縁弧よりも、小径で容器２側に凹む湾曲形状を呈すると共に、容器保持板下面の一般面１４ａよりも下方に延長した延長部１７ａを有し、延長部１７ａの容器押圧面に前記容器側へ突出する一対の凸部１７ｂ，１７ｂが設けられていて、図１０に示すように各部で鉛直断面略小半円弧形状を呈している。
【００２７】
また、この実施の形態１では、前記凸部１７ｂは、前記容器２の取り出し方向への力が、この容器２に作用した際に、この容器２と、前記容器保持板１４との接点における容器側面２ｃからの垂線方向に延びる力ｆ１０の延長線Ｌ１が、前記軸部１５と、接点とを結ぶ力ｆ１１の線Ｌ２の下側に位置するように構成されている。
【００２８】
次に、この実施の形態１の作用について説明する。
【００２９】
このように構成された従来のドリンクホルダ１０では、リング部１３内に上方から容器２が挿通されると、前記容器２の下面２ａは、下方から前記ベース部１２の容器底面受け部１２ａによって支持されると共に、前記容器保持板１４のスプリングによる付勢力で、先端１７の凸部１７ｂ，１７ｂが、容器２の上下方向略中央部の括れ部２ｂ近傍で容器２側面に当接して、リング部１３の内側１３ａに、この容器２を押しつけて保持させる。
【００３０】
このため、容器２は前記ベース部１２とリング部１３に形成された軸部１５との間に確実に保持される。
【００３１】
また、容器取り出し時には、容器２側に凸となるように形成された前記凸部１７ｂ，１７ｂによって、前記延長部１７の容器押圧面の凸部１７ｂ，１７ｂとの接点に、図３に示すように、側面２ｃに鉛直方向の力ｆ８と、この力ｆ８に直交して作用する摩擦力ｆ９との合力ｆ１０が作用する。
【００３２】
軸部５を中心として、上，下何れの方向への回転力が働いているかを調べるため、この接点に作用する合力ｆ１０が、接点から前記軸部１５方向への力ｆ１１と、前記軸部１５方向への力ｆ１１に垂直な力ｆ１２とに分解される。このうち、摩擦力ｆ９は、０にはならないが、前記凸部１７ｄが接点で点接触しているので、従来よりも小さくなる。
【００３３】
この際、前記軸部１５方向への力ｆ１１は、軸部１５の反力で打ち消され無視できるので、前記軸部１５方向への力に対して垂直な力に注目すると、下向きの力成分を有しているので、容器２によって、容器保持板１７が押し下げられるように回動する力ｆ１２が作用する。
【００３４】
このため、前記容器保持板１４が下方向（図中時計回り）に回動させられ、更に、前記リング部１３内側１３ａと、前記延長部１７ａとの間の距離が更に離間されて、前記容器２を容易に取り出すことが出来る。
【００３５】
特に、この実施の形態１では、図３に示すように、前記凸部１７ｂは、前記容器２の取り出し方向への力が、この容器２に作用した際に、この容器２と、前記容器保持板１４との接点における容器側面２ｃからの垂線方向に延びる力ｆ１０の延長線Ｌ１が、前記軸部１５と、接点とを結ぶ力ｆ１１の線Ｌ２の下側に位置する。
【００３６】
このため、この接点では、下向きの力ｆ１２成分によって前記容器保持板１４を下方向に回動させる。このため、更に、前記リング部１３内側１３ａと、前記延長部１７ａとの間の距離は離間して、前記上下方向略中間部に括れ２ｂを有する容器２であっても、更に容易に取り出すことが出来る。
【００３７】
以上、この発明の実施の形態１を図面により詳述してきたが、具体的な構成はこの実施の形態１に限らず、この発明の要旨を逸脱しない範囲の設計の変更等があってもこの発明に含まれる。
【００３８】
例えば、前記実施の形態１では、ドリンクホルダ１０に保持部１６，１６を一対設けたものを示して説明してきたが、特にこれに限らず、例えば、保持部１６が、単体或いは３個以上の複数であっても良く、前記ベース部１２も、例えば、保持部１６毎に設けられるようにしてもよい。
【図面の簡単な説明】
【図１】本発明の実施の形態１のドリンクホルダの容器保持構造で、全体の構成を説明する斜視図である。
【図２】実施の形態１のドリンクホルダの容器保持構造で、ケースからベース部及びリング部が突出した状態を示す側面図である。
【図３】実施の形態１のドリンクホルダの容器保持構造で、引き抜き時に加わる力を分力で説明する模式図である。
【図４】実施の形態１のドリンクホルダの容器保持構造で、収納状態での側面図である。
【図５】実施の形態１のドリンクホルダの容器保持構造で、ケースからベース部及びリング部が突出した状態を示す側面図である。
【図６】実施の形態１のドリンクホルダの容器保持構造で、収納状態での下面図である。
【図７】実施の形態１のドリンクホルダの容器保持構造で、収納状態での上面図である。
【図８】実施の形態１のドリンクホルダの容器保持構造で、収納状態での正面図である。
【図９】実施の形態１のドリンクホルダの容器保持構造で、容器保持板の上面図である。
【図１０】実施の形態１のドリンクホルダの容器保持構造で、容器保持板を図９中Ａ−Ａ線で切断した断面図である。
【図１１】実施の形態１のドリンクホルダの容器保持構造で、容器保持板の背面図である。
【図１２】実施の形態１のドリンクホルダの容器保持構造で、容器保持板の側面図である。
【図１３】実施の形態１のドリンクホルダの容器保持構造で、容器保持板の下面図である。
【図１４】従来例のドリンクホルダの容器保持構造で、引き抜き時に加わる力を分力で説明する模式図である。
【符号の説明】
１０          ドリンクホルダ
１２          ベース部
１３          リング部
１３ａ        内側
１４          容器保持板
１４ａ        一般面
１５          軸部
１６          保持部
１７          先端
１７ａ        延長部
１７ｂ        凸部
【図１】
0003644342.tif 000002
【図２】
0003644342.tif 000003
【図３】
0003644342.tif 000004
【図４】
0003644342.tif 000005
【図５】
0003644342.tif 000006
【図６】
0003644342.tif 000007
【図７】
0003644342.tif 000008
【図８】
0003644342.tif 000009
【図９】
0003644342.tif 000010
【図１０】
0003644342.tif 000011
【図１１】
0003644342.tif 000012
【図１２】
0003644342.tif 000013
【図１３】
0003644342.tif 000014
【図１４】
0003644342.tif 000015